(57)【要約】【課題】立体画像表示において、簡単な装置構成で観察者の疲労を正確に把握して観察者の疲労増加を抑制する。【解決手段】モニタ画面４３ａ，４３ｂの輝度またはコントラストの調整を受け付け、モニタ画面４３ａ，４３ｂの輝度またはコントラストの調整履歴を記録し、モニタ画面４３ａ，４３ｂの輝度またはコントラストの調整回数が所定回数を越えた場合、画面表示および／または音声による警告を発する。【選択図】図３
2012253755.tif 000002
【特許請求の範囲】
【請求項１】
異なる２つの撮影方向から被写体を放射線撮影して得られた２つの放射線画像データを用いて表示画面に前記被写体の立体視画像を表示する表示部と、
前記表示画面の輝度またはコントラストの調整を受け付ける画面調整手段と、
前記輝度またはコントラストの調整履歴を記録する調整履歴記録手段と、
前記輝度またはコントラストの調整が所定回数を越えて行われた場合、画面表示および／または音声による警告を発する警告手段とを備えていることを特徴とする立体視画像表示装置。
【請求項２】
前記表示画面の輝度またはコントラストを制御する画面制御手段を備え、
該画面制御手段が、前記輝度またはコントラストの調整回数が所定回数を越えた場合、前記表示画面の輝度またはコントラストの少なくともいずれか一方を低くすることを特徴とする請求項１に記載の立体視画像表示装置。
【請求項３】
前記画面制御手段が、前記輝度またはコントラストの調整間隔が所定時間以下の場合、前記表示画面の輝度またはコントラストの少なくともいずれか一方を低くすることを特徴とする請求項２に記載の立体視画像表示装置。
【請求項４】
前記警告手段が、前記輝度またはコントラストの調整間隔が所定時間以下の場合にも、前記警告を発することを特徴とする請求項１〜３のいずれか１項に記載の立体視画像表示装置。
【請求項５】
前記画面調整手段が、前記輝度またはコントラストの調整回数が所定回数を越えた場合、以後に受け付ける調整を無効にすることを特徴とする請求項１〜４のいずれか１項に記載の立体視画像表示装置。
【請求項６】
前記画面調整手段が、前記輝度またはコントラストの調整間隔が所定時間以下の場合、以後に受け付ける調整を無効にすることを特徴とする請求項１〜５のいずれか１項に記載の立体視画像表示装置。
【請求項７】
異なる２つの撮影方向から被写体を放射線撮影して得られた２つの放射線画像データを用いて表示画面に前記被写体の立体視画像を表示する立体視画像表示装置の表示方法において、
前記表示画面の輝度またはコントラストの調整を受け付け、
前記表示画面の輝度またはコントラストの調整履歴を記録し、
前記表示画面の輝度またはコントラストの調整回数が所定回数を越えた場合、画面表示および／または音声による警告を発することを特徴とする立体視画像表示装置の表示方法。
【発明の詳細な説明】
【技術分野】
【０００１】
本発明は立体視画像表示装置およびその方法に関する。より詳しくは、異なる２つの撮影方向から被写体を放射線撮影して得られた２つの放射線画像データを用いて表示画面に被写体の立体視画像を表示する立体視画像表示装置および方法に関する。
【背景技術】
【０００２】
従来、視差を有する２つの画像を組み合わせて表示することにより、立体視できることが知られている。このような立体視できる画像（以下、立体視画像という）は、同一の被写体を互いに異なる２つの撮影方向から撮影して得られた視差のある２つの画像データに基づいて表示される。このような立体視画像の生成は、デジタルカメラやテレビ等の分野だけでなく、放射線撮影の分野においても利用されている。
【０００３】
すなわち被写体に対して互いに異なる２つの撮影方向から放射線を照射し、その被写体を透過した放射線を放射線検出器によりそれぞれ検出して視差のある２つの放射線画像データを取得して立体視画像を表示することが行われている。このような立体視画像を用いることにより、奥行き感のある放射線画像を観察することが可能となり、診断をより行いやすくできる。
【０００４】
ところで、このような立体視画像の立体視は、互いに視差を有する２つの画像を脳内で合成して立体視画像として認識することにより行われる。したがって、観察者は、両眼で異なった視覚像を知覚する現象（両眼の視野闘争）を抑えながら立体視画像の立体視を行うため、疲労を感じやすい傾向がある。
【０００５】
特許文献１には、観察者の瞬目、瞳孔径等の観察者情報を計測することで観察者の疲労を検出し、視差量や表示サイズを調整する立体視画像表示装置が提案されている。また、特許文献２には、立体感の強弱を示す立体強度に基づいて表示時間ともに増加する累積強度を算出し、累積強度が所定の閾値を越える場合に警告を表示する立体視画像表示装置が提案されている。
【先行技術文献】
【特許文献】
【０００６】
【特許文献１】特開２００４−２８９５２７号公報
【特許文献２】特開２００４−２０７７７３号公報
【発明の概要】
【発明が解決しようとする課題】
【０００７】
しかしながら、特許文献１に提案される技術は、観察者の疲労を検出するために観察者の身体情報を取得する必要があり、装置構成が複雑になる虞がある。また、前述のとおり、立体視画像の立体視は観察者の脳内で行われるため、観察者の慣れや得意不得意によって左右されるとともに、疲労の感じやすさも観察者によってばらつきがある。すなわち特許文献２に提案される技術では、観察者の疲労を正確に検出できない虞がある。
【０００８】
ところで、一般的に、観察者は、立体視画像の立体視によって疲労してくると、この疲労を緩和するために表示画面の輝度やコントラストを調整する傾向がある。したがって、観察者の疲労の増加にともない、観察者による表示画面の輝度やコントラストの調整回数も増加するという傾向がある。
【０００９】
本発明の目的は、上記事情に鑑み、簡単な装置構成で観察者の疲労を正確に把握して観察者の疲労増加を抑制する立体視画像表示装置およびその方法を提供することである
【課題を解決するための手段】
【００１０】
上記の課題を解決するために、本発明の立体視画像表示装置は、異なる２つの撮影方向から被写体を放射線撮影して得られた２つの放射線画像データを用いて表示画面に被写体の立体視画像を表示する表示部と、表示画面の輝度またはコントラストの調整を受け付ける画面調整手段と、輝度またはコントラストの調整履歴を記録する調整履歴記録手段と、輝度またはコントラストの調整が所定回数を越えて行われた場合、画面表示および／または音声による警告を発する警告手段とを備えていることを特徴とする。
【００１１】
また、本発明の立体視画像表示装置は、表示画面の輝度またはコントラストを制御する画面制御手段を備え、画面制御手段が、輝度またはコントラストの調整回数が所定回数を越えた場合、表示画面の輝度またはコントラストの少なくともいずれか一方を低くするものであってもよい。ここで、本発明の立体視画像表示装置における「輝度またはコントラストの少なくともいずれか一方を低くする」とは、輝度またはコントラストの少なくとも一方の設定値が現在の設定値よりも低くなるように変更することを意味する。
【００１２】
また、本発明の立体視画像表示装置は、画面制御手段が、輝度またはコントラストの調整間隔が所定時間以下の場合、表示画面の輝度またはコントラストの少なくともいずれか一方を低くするものであってもよい。ここで、本発明の立体視画像表示装置における「調整間隔」とは、前回の調整が行われてから今回の調整が行われるまでの時間を意味する。
【００１３】
また、本発明の立体視画像表示装置は、警告手段が、輝度またはコントラストの調整間隔が所定時間以下の場合にも、警告を発するものであってもよい。また、本発明の立体視画像表示装置は、画面調整手段が、輝度またはコントラストの調整回数が所定回数を越えた場合、以後に受け付ける調整を無効にするものであってもよい。また、本発明の立体視画像表示装置は、画面調整手段が、輝度またはコントラストの調整間隔が所定時間以下の場合、以後に受け付ける調整を無効にするものであってもよい。
【００１４】
本発明の立体視画像表示装置の表示方法は、異なる２つの撮影方向から被写体を放射線撮影して得られた２つの放射線画像データを用いて表示画面に被写体の立体視画像を表示する立体画像表示装置の表示方法において、表示画面の輝度またはコントラストの調整を受け付け、表示画面の輝度またはコントラストの調整履歴を記録し、表示画面の輝度またはコントラストの調整回数が所定回数を越えた場合、画面表示および／または音声による警告を発することを特徴とする。
【発明の効果】
【００１５】
本発明の立体視画像表示装置およびその表示方法によれば、表示画面の輝度またはコントラストの調整を受け付け、表示画面の輝度またはコントラストの調整履歴を記録し、表示画面の輝度またはコントラストの調整回数が所定回数を越えた場合、画面表示および／または音声による警告を発することにより、観察者による表示画面の輝度またはコントラストの調整を記録するという、簡単な装置構成で立体視中の観察者情報を取得できるとともに、観察者情報に基づいて観察者の疲労を正確に検出して警告を発することで観察者の疲労増加を抑制できる。
【００１６】
また、本発明の立体視画像表示装置によれば、輝度またはコントラストの調整回数が所定回数を越えた場合、表示画面の輝度またはコントラストの少なくともいずれか一方を低くするため、調整回数が所定回数を越えた後の立体視による観察者の負担が軽減されて観察者の疲労増加を抑制できる。
【００１７】
また、本発明の立体視画像表示装置によれば、輝度またはコントラストの調整回数が所定回数を越えた場合、以後に受け付ける調整を無効にするため、調整回数が所定回数を越えた後、観察者による輝度またはコントラストの少なくともいずれか一方を高くするような調整が防止され、観察者の疲労増加を抑制できる。
【００１８】
また、本発明の立体視画像表示装置によれば、警告手段が、表示画面の輝度またはコントラストの調整間隔が所定時間以下の場合にも、警告を発するため、観察者の疲労をより正確に検出して観察者の疲労増加を抑制できる。
【図面の簡単な説明】
【００１９】
【図１】放射線撮影表示システムの概略構成図
【図２】放射線撮影装置の一部正面図
【図３】立体視画像表示装置の概略構成図
【図４】輝度またはコントラストの調整に関する一連の処理を示すフローチャート
【発明を実施するための形態】
【００２０】
本発明に係る立体視画像表示装置の一実施形態について図面を参照して説明する。図１は本発明の一実施形態である立体視画像表示装置を用いた放射線撮影表示システムの概略構成図である。この放射線撮影表示システム１は、被写体である乳房Ｍを互いに異なる２つの撮影方向から放射線撮影し、乳房Ｍの放射線画像を立体表示するものである。放射線撮影表示システム１は、図１に示すように、放射線撮影装置１０および立体視画像表示装置４０から構成されている。
【００２１】
最初に、放射線撮影装置１０について説明する。放射線撮影装置１０は、乳房Ｍに互いに異なる２つの撮影方向から放射線を照射することで３次元撮影を行い、乳房Ｍの立体表示用の放射線画像Ｇ３を取得し、この放射線画像Ｇ３の放射線画像データを格納した画像ファイルＧＦを立体視画像表示装置４０に送信するものである。
【００２２】
放射線撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００２３】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２４】
撮影台１４の内部には、フラットパネルディテクタ等の放射線検出器１５と、放射線検出器１５からの電荷信号の読み出しを制御する検出器コントローラ３３が備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等も設けられた回路基板等も備えられている。
【００２５】
また、撮影台１４はアーム部１３に対し回転可能に構成されているが、３次元撮影のときには基台１１に対してアーム部１３が回転した場合でも、撮影台１４の向きは基台１１に対し固定された向きにできる。
【００２６】
放射線検出器１５は、電荷信号の記録と読み出しを繰り返して行うことができるものであり、放射線の照射を直接受けて電荷を発生する、いわゆる直接型の放射線画像検出器を用いてもよいし、放射線を一旦可視光に変換し、その可視光を電気信号に変換する、いわゆる間接型の放射線画像の検出器を用いるようにしてもよい。
【００２７】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００２８】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものであってもよい。また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００２９】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線撮影装置１０の全体の制御を行うものである。そして、制御部３０は、３次元撮影によって放射線検出器１５で検出された電荷信号に所定の信号処理を施した放射線画像データを画像ファイルＧＦに格納して立体視画像表示装置４０に送信する。
【００３０】
入力部３０ａは、たとえば、キーボードやマウス等のポインティングデバイスから構成されるものであり、ＣＣ（頭尾方向）や、ＭＬＯ（内外斜位方向）等の撮影種類や、３次元撮影における、アーム部１３が放射線検出器１５の検出面１５ａに垂直な方向に対してなす角度である撮影角度θを含む撮影条件の入力や撮影開始の入力を受け付けるものである。
【００３１】
図２は放射線撮影装置１０の一部正面図である。放射線撮影装置１０の作用について、図１および図２を用いて説明する。まず、撮影台１４の上に乳房Ｍが設置され、圧迫板１８により乳房Ｍを所定の圧力で圧迫する。
【００３２】
次に、入力部３０ａにおいて、撮影者による乳房Ｍの撮影指示が入力されて撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００３３】
制御部３０は３次元撮影における互いに異なる２つの撮影角度θの組み合わせを読み出し、一方の撮影角度θの情報をアームコントローラ３１に出力する。本実施形態において、撮影角度θは、図２示すように時計回りを正方向、反時計回りを負方向とする。なお、本実施形態においては、撮影角度θ＝０°および＋４°が入力されたものとするが、特に限定されるものではないが、２つの撮影方向のなす角度が、視差に対応するように２°〜８°の範囲となるように、撮影角度θの組み合わせが入力されることが望ましい。
【００３４】
そして、アームコントローラ３１が、制御部３０から出力された撮影種類および撮影角度θ＝０°の情報を受け付け、アーム部１３が、図２に示すように、検出面１５ａに垂直となる制御信号を出力する。
【００３５】
そして、アームコントローラ３１から出力された制御信号に応じてアーム部１３が検出面１５ａに対して０°となる状態において、制御部３０は、放射線源コントローラ３２および検出器コントローラ３３に対して放射線の照射と放射線画像Ｇ３を構成する右眼用画像ＧＲの放射線画像データＤＲの読み出しを行うように制御信号を出力する。
【００３６】
この制御信号に応じて、放射線源１７が放射線を照射し、放射線検出器１５が照射された放射線を検出し、検出器コントローラ３３によって放射線検出器１５から電荷信号が読み出される。制御部３０が、この電荷信号に所定の信号処理を施して右眼用画像ＧＲの放射線画像データＤＲを記憶する。
【００３７】
次に、アームコントローラ３１が、制御部３０から出力された撮影角度θ＝＋４°の情報に基づき、アーム部１３が、図２に示すように、検出面１５ａに垂直な方向に対して＋４°傾くような制御信号を出力する。
【００３８】
そして、アームコントローラ３１から出力された制御信号に応じてアーム部１３が検出面１５ａに対して＋４°傾いた状態において、制御部３０は、放射線源コントローラ３２および検出器コントローラ３３に対して放射線の照射と放射線画像Ｇ３を構成する左眼用画像ＧＬの放射線画像データＤＬの読み出しを行うように制御信号を出力する。
【００３９】
この制御信号に応じて、放射線源１７が放射線を照射し、放射線検出器１５が照射された放射線を検出し、検出器コントローラ３３によって放射線検出器１５から電荷信号が読み出される。制御部３０は、この電気信号に所定の信号処理を施して左眼用画像ＧＬの放射線画像データＤＬを記憶する。制御部３０は、乳房Ｍの右眼用画像ＧＲおよび左眼用画像ＧＬのそれぞれの放射線画像データＤＲ，ＤＬを画像ファイルＧＦに格納して立体視画像表示装置４０に送信する。なお、本実施形態では、撮影角度θ＝０°で右眼用画像ＧＲの放射線画像データＤＲ、撮影角度θ＝＋４°で左眼用画像ＧＬの放射線画像データＤＬの順でそれぞれ読み出して記憶をするものであるが、特に限定されるものではない。すなわち撮影角度θ＝０°で左眼用画像ＧＬの放射線画像データＤＬ、撮影角度θ＝＋４°で右眼用画像ＧＲの放射線画像データＤＲの順でそれぞれ読み出して記憶してもよい。
【００４０】
次に立体視画像表示装置４０について説明する。図３は立体視画像表示装置の概略構成図である。立体視画像表示装置４０は、図３に示すように、コンピュータ４１と、表示部としてのモニタ４２とから主に構成されている。立体視画像表示装置４０は、モニタ４２の２つのモニタ画面４３ａ，４３ｂに右眼用画像ＧＲ、左眼用画像ＧＬをそれぞれ表示することにより、乳房Ｍの放射線画像を立体表示するものである。
【００４１】
コンピュータ４１には、本実施形態による立体視画像表示装置４０として機能させるためのプログラムがインストールされている。コンピュータ４１は、中央処理装置（ＣＰＵ）および半導体メモリやハードディスクやＳＳＤ等のストレージデバイス等を備えており、これらのハードウェアにより、制御手段４１ａ、表示制御手段４１ｂ、画面制御手段４１ｃ、履歴記憶手段４１ｄおよび警告手段４１ｅを構成している。なお、コンピュータ４１は不図示の入力手段を備えており、立体表示の開始指示等の観察者からの指示を受け付ける。
【００４２】
モニタ４２は、上下方向に隣接した２つのモニタ画面４３ａ，４３ｂ、モニタ画面４３ａ，４３ｂの間に設けられたハーフミラー４４、モニタ画面４３ａ，４３ｂのなす角度αを可変にするヒンジ機構４５、モニタ画面４３ａ，４３ｂのコントラストの調整を受け付けるコントラスト調整ボタン４６ａおよびモニタ画面４３ａ，４３ｂの輝度の調整を受け付ける輝度調整ボタン４６ｂを備えている。
【００４３】
モニタ画面４３ａ，４３ｂは、右眼用画像ＧＲおよび左眼用画像ＧＬを互いに直交する偏光によって表示するものである。ヒンジ機構４５は、モニタ画面４３ａをモニタ画面４３ｂに対して図３の矢印α方向に回転させることにより、２つのモニタ画面４３ａ、４３ｂのなす角度αを調整する。ハーフミラー４４は、モニタ画面４３ａをモニタ画面４３ｂに対して傾けることにより、モニタ画面４３ａの表示光を図中実線で示すように反射させるとともに、モニタ画面４３ｂの表示光を図中破線で示すように透過させるものである。
【００４４】
これにより、ハーフミラー４４は、右眼用画像ＧＲと左眼用画像ＧＬとをハーフミラー４４上で所定の視差を有するように重ね合わせ、光学的に結合させる。そして、観察者が右眼用画像ＧＲを観察する右眼用偏光レンズと左眼用画像ＧＬを観察する左眼用偏光レンズを有する偏光メガネを装着することにより、観察者は、左眼用画像ＧＬおよび右眼用画像ＧＲを左右各眼でそれぞれ観察して乳房Ｍの放射線画像Ｇ３を立体視する。なお、本実施形態では、モニタ画面４３ａが右眼用画像ＧＲ、モニタ画面４３ｂが左眼用画像ＧＬを表示するものであるが、特に限定されるものではない。
【００４５】
コントラスト調整ボタン４６ａおよび輝度調整ボタン４６ｂは、図３に示すように、観察者によるコントラストおよび輝度の調整を受け付けるものである。なお、本実施形態では、コントラスト調整ボタン４６ａおよび輝度調整ボタン４６ｂをモニタ４２の下方に設けられた調整ボタンとして説明するが特に限定されるものではなく、コンピュータ４１に接続された不図示の入力手段や、モニタ画面４３ａ，４３ｂ上に表示されるアイコン等であってもよい。
【００４６】
制御手段４１ａは、放射線撮影装置１０から画像ファイルＧＦを受信するとともに、コンピュータ４１の全体を制御するものである。表示制御手段４１ｂはモニタ４２の表示を制御するものである。表示制御手段４１ｂは、画像ファイルＧＦに格納された左眼用画像ＧＬの放射線画像データＤＬおよび右眼用画像ＧＲの放射線画像データＤＲに基づいて、図３に示すように、各乳房Ｍが鏡像関係を有し、且つ胸壁ＭＷが水平となるように左眼用画像ＧＬおよび右眼用画像ＧＲにモニタ画面４３ａ，４３ｂにそれぞれ表示させる。なお、表示制御手段４１ｂは、必要に応じてモニタ画面４３ａ，４３ｂに撮影条件や、診断レポート等を表示させる。
【００４７】
画面制御手段４１ｃは、２つのモニタ画面４３ａ，４３ｂの輝度およびコントラストを制御するものである。ここで、モニタ画面４３ａ，４３ｂに対する輝度（ｃｄ／ｍ２）は、モニタ画面４３ａ，４３ｂの単位面積当たりの明るさであり、モニタ画面４３ａ，４３ｂに対するコントラストとは、最大輝度、すなわち白色表示をした際の輝度と、最小輝度、すなわち黒色表示をした際の輝度との比を表わすものである。なお、画面制御手段４１ｃによるモニタ画面４３ａ，４３ｂの輝度およびコントラストの制御については後述する。
【００４８】
履歴記憶手段４１ｄは、コントラスト調整ボタン４６ａまたは輝度調整ボタン４６ｂが受け付けたモニタ画面４３ａ，４３ｂの輝度およびコントラストの調整履歴を記憶するものである。履歴記憶手段４１ｄは、輝度またはコントラストの調整回数および調整された日時を記録するものである。
【００４９】
警告手段４１ｅは、輝度またはコントラストの調整回数が所定回数を越えて行われた場合、画面表示および／または音声による警告を発するものである。たとえば、警告手段４１ｅは、輝度またはコントラストの調整が同日の２〜５時間程度の間に５回を越えて行われた場合に画面表示および／または音声による警告を発してもよい。なお、発せられた警告は、不図示の入力手段が観察者による警告を解除する旨の指示を受け付けることによって解除できる。
【００５０】
そして、警告手段４１ｅは、調整間隔が所定時間以下の場合にも画面表示および／または音声による警告を発してもよい。たとえば、警告手段４１ｅは、今回の輝度またはコントラストの調整が前回の調整から１０〜２０分以内に行われた場合に画面表示および／または音声による警告を発してもよい。
【００５１】
画面制御手段４１ｃによる輝度およびコントラストの制御について説明する。画面制御手段４１ｃは、輝度およびコントラストの調整回数が所定回数以下の場合、観察者によるコントラスト調整ボタン４６ａおよび輝度調整ボタン４６ｂの調整に基づいて、輝度またはコントラストを観察者の所望の値に変更するように制御する。
【００５２】
画面制御手段４１ｃは、輝度またはコントラストの調整回数が所定回数を越えて行われた場合、モニタ画面４３ａ，４３ｂの輝度またはコントラストの少なくともいずれか一方が現在の設定値よりも低くなるように制御する。画面制御手段４１ｃは、たとえば、モニタ画面４３ａ，４３ｂの輝度またはコントラストに少なくともいずれか一方が現在の設定値に対して６０〜８０パーセントになるように制御してもよく、輝度またはコントラストの少なくともいずれか一方が予め設定された下限値になるように制御してもよい。なお、低く設定された輝度またはコントラストは、不図示の入力手段が観察者による警告を解除する旨の指示を受け付けることによって再び戻すこともできる。
【００５３】
また、画面制御手段４１ｃは、調整回数が所定回数を越えて行われた輝度（またはコントラスト）のみを低くし、調整回数が所定回数以下であるコントラスト（または輝度）については、現在の設定のままとするように制御してもよい。そして、画面制御手段４１ｃは、輝度またはコントラストの調整間隔が所定時間以下の場合にも、モニタ画面４３ａ，４３ｂの輝度またはコントラストの少なくともいずれか一方を低くするように制御してもよい。また、画面制御手段４１ｃは、調整間隔が所定時間以下で行われた輝度（またはコントラスト）のみを低くし、調整間隔が所定時間以下であるコントラスト（または輝度）については、現在の設定のままとするように制御してもよい。
【００５４】
コントラスト調整ボタン４６ａおよび輝度調整ボタン４６ｂは、輝度またはコントラストの調整回数が所定回数を越えて行われた場合、観察者による以後の調整の受け付けを無効にする。そして、コントラスト調整ボタン４６ａおよび輝度調整ボタン４６ｂは、輝度またはコントラストの調整間隔が所定時間以下の場合にも、観察者による以後の調整の受け付けを無効にするものであってもよい。そして、コントラスト調整ボタン４６ａおよび輝度調整ボタン４６ｂは、調整回数（または調整時間）が所定回数を越えて（所定時間以下で）行われた輝度（またはコントラスト）の調整の受け付けのみを無効にするものであってもよい。そして、コントラスト調整ボタン４６ａおよび輝度調整ボタン４６ｂは、コントラストおよび輝度を高くする調整の受け付けのみを無効にし、コントラストおよび輝度を低くする調整の受け付けは有効にするものであってもよい。なお、無効にされた観察者による以後の調整の受け付けは、不図示の入力手段が観察者による警告を解除する旨の指示を受け付けることによって解除できる。
【００５５】
立体視画像表示装置４０の作用について説明する。まず、立体視画像表示装置４０による乳房Ｍの放射線画像Ｇ３の立体表示について説明する。制御手段４１ａが放射線撮影装置１０から画像ファイルＧＦを受信する。表示制御手段４１ｂが、各乳房Ｍが鏡像関係を有し、且つ胸壁ＭＷが水平となるように左眼用画像ＧＬおよび右眼用画像ＧＲにモニタ画面４２ａ，４２ｂにそれぞれ表示させる。ハーフミラー４４が、右眼用画像ＧＲと左眼用画像ＧＬをハーフミラー４４上で所定の視差を有するように光学的に結合させて放射線画像Ｇ３を立体表示する。
【００５６】
次に立体視画像表示装置４０におけるモニタ画面４３ａ，４３ｂに対する輝度またはコントラストの調整に関する処理ついて説明する。図４は、輝度またはコントラストの調整における一連の処理を示すフローチャートである。最初に、コントラスト調整ボタン４６ａおよび／または輝度調整ボタン４６ｂが、観察者によるコントラストおよび／または輝度の調整を受け付ける（ＳＴ１）。
【００５７】
履歴記憶手段４１ｄが観察者による調整履歴を記憶し、輝度およびコントラストの調整回数が所定回数以下の場合、画面制御手段４１ｃが、観察者によるコントラスト調整ボタン４６ａおよび輝度調整ボタン４６ｂの調整に基づいて、輝度またはコントラストを観察者の所望の値に変更する（ＳＴ２，ＳＴ３）。
【００５８】
輝度またはコントラストの調整回数が所定回数以下を越えて行われた場合、警告手段４１ｅが、疲労が増加している旨の警告を画面表示および／または音声によって発する（ＳＴ２，ＳＴ４）。コントラスト調整ボタン４６ａおよび輝度調整ボタン４６ｂが、観察者による以後の調整の受け付けを無効にし（ＳＴ５）、画面制御手段４１ｃが、輝度またはコントラストの少なくともいずれか一方が現在の設定値よりも低くなるように制御して処理を終了する（ＳＴ６）。
【００５９】
上記の実施形態によれば、コントラスト調整ボタン４６ａおよび輝度調整ボタン４６ｂが観察者によるモニタ画面４３ａ，４３ｂのコントラストおよび輝度の調整を受け付け、履歴記憶手段４１ｄが調整履歴を記憶し、ユーザによる調整回数が所定回数を越えた場合、警告手段４１ｅが、画面表示および／または音声による警告を発生するため、簡単な装置構成で立体視中の観察者の情報を取得し、観察者情報に基づく正確な疲労検出によって警告を発することにより、観察者の疲労増加を抑制できる。
【００６０】
また、上記の実施形態によれば、画面制御手段４１ｃが、観察者による調整回数が所定回数を越えた場合、輝度またはコントラストの少なくともいずれか一方が現在の設定値よりも低くなるように制御するため、調整回数が所定回数を越えた以降の立体視による観察者の負担が軽減され、観察者の疲労増加を抑制できる。
【００６１】
また、上記の実施形態によれば、コントラスト調整ボタン４６ａおよび輝度調整ボタン４６ｂが、観察者による調整回数が所定回数を越えた場合、以後に受け付ける調整を無効にするため、調整回数が所定回数を越えた以降の観察者による輝度またはコントラストの少なくとも一方を高くするような調整が防止され、観察者の疲労増加を抑制できる。
【００６２】
また、上記の実施形態によれば、警告手段４１ｅが、モニタ画面４３ａ，４３ｂに対する輝度またはコントラストの調整間隔が所定時間以下の場合にも、警告を発するため、観察者の疲労をより正確に検出して疲労増加を抑制できる。
【００６３】
なお、立体視画像表示装置４０による放射線画像Ｇ３の３次元表示の構成は、上記の構成に限定されるものではなく、パララックスバリア方式およびレンチキュラー方式を用いて、放射線画像Ｇ３を立体表示する構成としてもよく、右眼用画像ＧＲおよび左眼用画像ＧＬを所定の周期で交互に切り替えて表示し、観察者が、右眼用部分および左眼用部分のそれぞれに所定の周期に同期して開閉する液晶シャッタ等を有する立体視眼鏡を装着して立体視する構成であってもよい。
【符号の説明】
【００６４】
ＤＬ，ＤＲ      放射線画像データ
Ｇ３            放射線画像
ＧＬ            左眼用画像
ＧＲ            右眼用画像
Ｍ              乳房（被写体）
４０            立体画像表示装置
４１ｃ          画面制御手段
４１ｄ          履歴記憶手段
４１ｅ          警告手段
４２            モニタ（表示部）
４３ａ，４３ｂ  モニタ画面（表示画面）
４６ａ          コントラスト調整ボタン４６ａ（画面調整手段）
４６ｂ          輝度調整ボタン４６ｂ（画面調整手段）
【図１】
2012253755.tif 000003
【図２】
2012253755.tif 000004
【図３】
2012253755.tif 000005
【図４】
2012253755.tif 000006